(57)【要約】【課題】補助ミラーの付設によって光の利用効率を高めることが容易になるとともに発光輝点の部分の温度が高くなりすぎることのないような構造をもった照明装置を提供する。【解決手段】２つの電極１２Ａ，１２Ｂ間で発光が行われる発光部を有する発光管１０と、この発光管１０からの射出光を反射するリフレクタ２０と、前記発光管１０の発光部よりも反リフレクタ側に配置された補助ミラー３０とを備えた照明装置１１０において、発光管１０は直流点灯型の発光管であることを特徴とする照明装置。【選択図】  図２
2005038685.tif 000002
【特許請求の範囲】
【請求項１】
２つの電極間で発光が行われる発光部を有する発光管と、この発光管からの射出光を反射するリフレクタと、前記発光管の発光部よりも反リフレクタ側に配置された補助ミラーとを備えた照明装置において、
前記発光管は直流点灯型の発光管であることを特徴とする照明装置。
【請求項２】
請求項１に記載の照明装置において、
前記補助ミラーで反射された前記発光輝点の像が前記発光輝点とは重ならない位置に形成されるように構成されてなることを特徴とする照明装置。
【請求項３】
請求項１又は２に記載の照明装置において、
前記発光輝点と前記発光輝点の像は、前記２つの電極の間に位置するように構成されてなることを特徴とする照明装置。
【請求項４】
請求項１〜３のいずれかに記載の照明装置において、
前記補助ミラーは、前記発光管に空隙を介して配置されていることを特徴とする照明装置。
【請求項５】
請求項１〜４のいずれかに記載の照明装置において、
前記補助ミラーの内面は、球面形状を有することを特徴とする照明装置。
【請求項６】
請求項１〜５のいずれかに記載の照明装置において、
前記発光管の管球の、少なくとも前記補助ミラーに対向する外面には、減反射膜が形成されていることを特徴とする照明装置。
【請求項７】
請求項６に記載の照明装置において、
前記減反射膜は、Ｔａ２Ｏ５とＳｉＯ２との多層膜であることを特徴とする照明装置。
【請求項８】
管球の内部に配設された２つの電極間で直流点灯型の発光が行われる発光部を有し前記管球の外面の一部に前記発光部からの光を前記管球内部に向けて反射する反射膜が形成されてなる発光管と、この発光管からの射出光を反射するリフレクタとを備えたことを特徴とする照明装置。
【請求項９】
管球の内部に配設された２つの電極間で直流点灯型の発光が行われる発光部を有し前記管球の内面の一部に前記発光部からの光を前記管球内部に向けて反射する反射膜が形成されてなる発光管と、この発光管からの射出光を反射するリフレクタとを備えたことを特徴とする照明装置。
【請求項１０】
請求項１〜９のいずれかに記載の照明装置と、この照明装置からの照明光を画像情報に基づいて変調する電気光学変調装置と、この電気光学変調装置からの変調光を投写する投写レンズとを備えたことを特徴とするプロジェクタ。
【請求項１１】
管球の内部に配設された２つの電極間で直流点灯型の発光が行われる発光部を有し前記管球の外面の一部に前記発光部からの光を前記管球内部に向けて反射する反射膜が形成されてなることを特徴とする発光管。
【請求項１２】
管球の内部に配設された２つの電極間で直流点灯型の発光が行われる発光部を有し前記管球の内面の一部に前記発光部からの光を前記管球内部に向けて反射する反射膜が形成されてなることを特徴とする発光管。
【発明の詳細な説明】
【０００１】
【発明の属する技術分野】
本発明は、照明装置、プロジェクタ及び発光管に関する。
【０００２】
【従来の技術】
図１０は、従来の照明装置を示す図である。この照明装置９０１は、２つの電極９１７，９１８間で発光が行われる発光部を有する発光管９０２と、この発光管９０２からの射出光を反射するリフレクタ９０３と、発光管９０２の発光部よりも反リフレクタ側に配置された補助ミラー９０４とを備えている。そして、この照明装置９０１においては、補助ミラー９０４は、発光輝点ＬＡ，ＬＢからの光を、発光輝点ＬＢ，ＬＡに向けて反射するように構成されている。
【０００３】
このため、この照明装置９０１によれば、発光輝点ＬＡ，ＬＢから放射された光のうち、小径のリフレクタで呑み込むことが困難なために利用できなかった光も、補助ミラー９０４によって利用することができるようになり、大型のリフレクタを用いなくとも明るく平行度の高い照明光を得ることができるという特徴を有している。また、大型のリフレクタを用いる必要がないので、照明装置の小型化を図ることができるという特徴を有している（例えば、特許文献１参照。）。
【０００４】
【特許文献１】
特開平１１−１４３３７８号公報（図１及び図２）
【０００５】
【発明が解決しようとする課題】
しかしながら、特許文献１に開示された照明装置９０１においては、一方の発光輝点ＬＢから放射された光が他方の発光輝点ＬＡの近傍を通過する際に発光輝点ＬＡの近傍に存在するプラズマにより吸収されてしまい、補助ミラーの付設によっても光の利用効率がそれほど高くならないという問題があった。また、プラズマ吸収によって発光輝点ＬＡの部分での温度が高くなりすぎるという問題があった。
【０００６】
本発明は、このような問題を解決するためになされたもので、補助ミラーの付設によって光の利用効率を高めることが容易になるとともに発光輝点の部分の温度が高くなりすぎることのないような構造をもった照明装置を提供することを目的とする。また、このような照明装置を備えたプロジェクタを提供することを目的とする。さらにまた、このような照明装置に好適に用いられる発光管を提供することを目的とする。
【０００７】
【課題を解決するための手段】
（１）本発明の照明装置は、２つの電極間で発光が行われる発光部を有する発光管と、この発光管からの射出光を反射するリフレクタと、前記発光管の発光部よりも反リフレクタ側に配置された補助ミラーとを備えた照明装置において、
前記発光管は直流点灯型の発光管であることを特徴とする
【０００８】
このため、本発明の照明装置によれば、発光管が直流点灯型の発光管であるため、陰極の近傍にある発光領域においては活発に発光が起こっている状態にある一方、陽極の近傍においては発光が抑制された状態にある。従って、陽極の近傍においてはプラズマ密度が低く、プラズマ吸収が起こりにくい状態となっている。その結果、陰極の近傍にある発光輝点から出た光を補助ミラーで反射して陽極の近傍を通過させたとしても、陽極近傍においてプラズマ吸収は起こらず、陽極近傍を通過する際に光強度が減衰してしまうのを防止することができる。
このため、本発明の照明装置によれば、補助ミラーの付設によって光の利用効率を高めることが容易になる。また、プラズマ吸収が起こらないことに起因して発光輝点における温度が高くなりすぎることもなくなる。
【０００９】
また、本発明の照明装置によれば、発光管が直流点灯型の発光管であるため、交流点灯型の発光管でしばしば問題となることがある発光輝点の移動による光のちらつきを抑制することができるほか、点灯回路の小型化を図ることができるという効果もある。
さらにまた、本発明の照明装置によれば、発光管が直流点灯型の発光管であるため、元来は陰極の近傍で輝度が高く陽極の近傍で輝度が低い、そのような対称性の低い輝度分布を有しているが、補助ミラーの働きによってこの輝度分布を全体としてより対称性のよいものにすることができ、輝度むらの少ない照明装置となる。
【００１０】
なお、本発明の照明装置において、発光輝点とは、発光管の中で相対的に発光強度が高い部分のことをいい、直流点灯型の発光管の場合は、通常、陰極の近傍にある。
【００１１】
（２）上記（１）に記載の照明装置においては、前記補助ミラーで反射された前記発光輝点の像が前記発光輝点とは重ならない位置に形成されるように構成されてなることが好ましい。
このように構成することにより、陰極の近傍にある発光輝点から出た光は、補助ミラーによって反射されてもとの陰極の近傍に到達することがなくなるため、プラズマ吸収を受けることなく、そのまま発光管から射出されることになる。
【００１２】
（３）上記（１）又は（２）に記載の照明装置においては、前記発光輝点と前記発光輝点の像は、前記２つの電極の間に位置するように構成されてなることが好ましい。
このように構成することにより、発光輝点と発光輝点の像から射出する光が合成された対称性の良い発光領域が２つの電極の間に位置するようにできるため、偏りの少ない優れた発光管となる。
【００１３】
（４）上記（１）〜（３）のいずれかに記載の照明装置においては、前記補助ミラーは、前記発光管に空隙を介して配置されていることが好ましい。
このように構成することにより、補助ミラーの取り付け位置を調整することにより、補助ミラーによって反射された光による発光輝点の像を正確に所望の位置に配置することができるようになる。
【００１４】
（５）上記（１）〜（４）のいずれかに記載の照明装置においては、前記補助ミラーの内面が球面形状を有することが好ましい。
このように構成することにより、補助ミラーの内面各点における法線が発光管の２つの電極の中心部を通るように設定することにより、陰極の近傍にある発光輝点から出た光を補助ミラーで反射して陽極の近傍を通過させることができ、上記した各効果を得ることができる。
【００１５】
（６）上記（１）〜（５）のいずれかに記載の照明装置においては、前記発光管の管球の、少なくとも前記補助ミラーに対向する外面には、減反射膜が形成されていることが好ましい。
このように構成することにより、陰極の近傍にある発光輝点から射出した光が補助ミラーで反射されて発光輝点の像の位置に達するまでに通常、気体と固体との界面を４回通過することになるが、このうち、少なくとも２回については反射損が抑制されるため、高輝度・高品質の照明光を射出することのできる照明装置となる。
この場合、発光管の発光輝点から直接リフレクタに向かう光の反射損を抑制する観点及び製造容易の観点から、減反射膜は前記管球の外面の全面に形成されてなることがさらに好ましい。
【００１６】
（７）上記（１）〜（６）のいずれかに記載の照明装置においては、前記減反射膜は、Ｔａ２Ｏ５とＳｉＯ２との多層膜であることが好ましい。
このように構成することにより、減反射膜の耐熱性を高めることができ、極めて高温にさらされる発光管の表面においても長期間にわたって良好な減反射特性を維持することができる。
【００１７】
（８）本発明の照明装置は、管球の内部に配設された２つの電極間で直流点灯型の発光が行われる発光部を有し前記管球の外面の一部に前記発光部からの光を前記管球内部に向けて反射する反射膜が形成されてなる発光管と、この発光管からの射出光を反射するリフレクタとを備えたことを特徴とする。
このため、本発明の照明装置によれば、発光管の管球外面に形成された反射膜が上記（１）における補助ミラーと同様の機能を発揮するため、上記（１）で得られるのと同様の効果が得られる。また、補助ミラーが不要になるという効果も得られる。
【００１８】
（９）本発明の照明装置は、管球の内部に配設された２つの電極間で直流点灯型の発光が行われる発光部を有し前記管球の内面の一部に前記発光部からの光を前記管球内部に向けて反射する反射膜が形成されてなる発光管と、この発光管からの射出光を反射するリフレクタとを備えたことを特徴とする。
このため、本発明の照明装置によれば、発光管の管球内面に形成された反射膜が上記（１）における補助ミラーと同様の機能を発揮するため、上記（１）で得られるのと同様の効果が得られる。また、補助ミラーが不要になるという効果も得られる。
【００１９】
（１０）本発明のプロジェクタは、上記（１）〜（９）のいずれかに記載の照明装置と、この照明装置からの照明光を画像情報に基づいて変調する電気光学変調装置と、この電気光学変調装置からの変調光を投写する投写レンズとを備えたことを特徴とする。
このため、本発明のプロジェクタは、補助ミラーの付設によって光の利用効率を高めることが容易になるとともに発光輝点の部分の温度が高くなりすぎることのない構造をもった照明装置を備えているため、高輝度なプロジェクタとなる。
【００２０】
（１１）本発明の発光管は、管球の内部に配設された２つの電極間で直流点灯型の発光が行われる発光部を有し前記管球の外面の一部に前記発光部からの光を前記管球内部に向けて反射する反射膜が形成されてなることを特徴とする。
このため、本発明の発光管によれば、リフレクタと組み合わせることによって、上記（８）の照明装置を容易に構成できる。
【００２１】
（１２）本発明の発光管は、管球の内部に配設された２つの電極間で直流点灯型の発光が行われる発光部を有し前記管球の内面の一部に前記発光部からの光を前記管球内部に向けて反射する反射膜が形成されてなることを特徴とする。
このため、本発明の発光管によれば、リフレクタと組み合わせることによって、上記（９）の照明装置を容易に構成できる。
【００２２】
【発明の実施の形態】
以下、本発明が適用された照明装置、プロジェクタ及び発光管について、図に示す実施の形態に基づいて説明する。
［実施形態１］
１．照明光学系、照明装置及び発光管
図１は、本発明の実施形態１に係る照明装置を備えた照明光学系の構成図である。図２は、実施形態１に係る照明装置の構成図である。（ａ）は断面図であり、（ｂ）は発光管部分の拡大断面図である。図３は、実施形態１に係る照明装置の作用説明図である。（ａ）は光線を示す図であり、（ｂ）は発光輝点が広がっているのを示す図である。
実施形態１に係る照明装置１００は、図１〜図３に示されるように、２つの電極（陰極１２Ａ，陽極１２Ｂ）間で発光が行われる発光部を有する発光管１０と、この発光管１０からの射出光を反射する楕円面リフレクタ２０と、発光管１０の発光部よりも反楕円面リフレクタ側に配置された補助ミラー３０と、楕円面リフレクタ２０からの集束光を並行化するための平行化レンズ４０と、を備えている。そして、この発光管１０は直流点灯型の発光管である。
【００２３】
このため、実施形態１に係る照明装置１１０によれば、発光管１０が直流点灯型の発光管であるため、陰極１２Ａの近傍にある発光輝点ＰＡにおいては活発に発光が起こっている状態にある一方、陽極１２Ｂの近傍においては発光が抑制された状態にある。従って、陽極１２Ｂの近傍においてはプラズマ密度が低く、プラズマ吸収が起こりにくい状態となっている。その結果、陰極１２Ａの近傍にある発光輝点ＰＡから出た光を補助ミラーで反射して陽極１２Ｂの近傍を通過させたとしても、陽極１２Ｂ近傍においてプラズマ吸収は起こらず、陽極１２Ｂ近傍を通過する際に光強度が減衰してしまうのを防止することができる。
このため、実施形態１に係る照明装置１１０によれば、補助ミラー３０の付設によって光の利用効率を高めることが容易になる。また、プラズマ吸収が起こらないことに起因して発光輝点における温度が高くなりすぎることもなくなる。
【００２４】
また、実施形態１に係る照明装置１１０によれば、発光管１０が直流点灯型の発光管であるため、交流点灯型の発光管でしばしば問題となることがある発光輝点の移動による光のちらつきを抑制することができるほか、点灯回路の小型化を図ることができるという効果もある。
さらにまた、実施形態１に係る照明装置１０によれば、発光管１０が直流点灯型の発光管であるため、元来は陰極１２Ａの近傍で輝度が高く陽極１２Ｂの近傍で輝度が低い、そのような対称性の低い輝度分布を有しているが、補助ミラー３０の働きによってこの輝度分布を全体としてより対称性のよいものにすることができ、輝度むらの少ない照明装置となる。
【００２５】
なお、この明細書において、発光輝点とは、発光管１０の中で相対的に発光強度が高い部分のことをいい、直流点灯型の発光管の場合は、通常、陰極の近傍にある。
【００２６】
実施形態１に係る照明装置１１０においては、補助ミラー３０で反射された発光輝点ＰＡの像が発光輝点ＰＡとは重ならない位置（陽極１２Ｂ近傍）に形成されるように構成されている。このため、陰極１２Ａの近傍にある発光輝点から出た光は、補助ミラー３０によって反射されて、もとの陰極１２Ａの近傍に到達することがなくなるため、プラズマ吸収を受けることなく、そのまま発光管１０から射出されることになる。
【００２７】
実施形態１に係る照明装置１１０においては、発光輝点ＰＡと発光輝点の像ＰＢ（図３（ａ）参照。）は、陰極１２Ａと陽極１２Ｂの間に位置するように構成されている。このため、図３（ｂ）に示されるように、発光輝点ＰＡと発光輝点の像ＰＢから射出する光が合成された対称性の良い発光領域Ｐが２つの電極の間に位置するようにできるため、偏りの少ない優れた発光管となる。
【００２８】
実施形態１に係る照明装置１１０においては、補助ミラー３０は、発光管１０に空隙を介して配置されている。このため、補助ミラー３０の取り付け位置を調整することにより、補助ミラー３０によって反射された光による発光輝点の像ＰＢを正確に所望の位置に配置することができる。
【００２９】
実施形態１に係る照明装置１１０においては、補助ミラー３０の内面が球面形状を有している。また、図３に示されるように、補助ミラー３０の内面各点における法線Ｈ１，Ｈ２が発光管１０の陰極１２Ａと陽極１２Ｂとの中心部を通るように設定されている。このため、陰極の近傍にある発光輝点ＰＡから出た光Ｌ１，Ｌ２を補助ミラー３０で反射して陽極１２Ｂの近傍を通過させることができ、上記した各効果を得ることができる。
【００３０】
２．プロジェクタ
図４は、照明装置１１０を備えたプロジェクタの構成図である。この光学系は、発光管１０、楕円面リフレクタ２０、補助ミラー３０及び平行化レンズ４０からなる照明装置１１０並びにこの照明装置１１０からの射出光を所定の光に調整する手段１６０を備えた照明光学系１００と、ダイクロイックミラー２１０，２２０、反射ミラー２３０等を有する色光分離光学系２００と、入射側レンズ３１０、リレーレンズ３３０、反射ミラー３２０，３４０を有するリレー光学系３００と、各色光に対応するフィールドレンズ３５０，２６０Ｇ，２６０Ｂ及び光変調装置としての液晶パネル４００Ｒ，４００Ｇ，４００Ｂと、色光合成光学系であるクロスダイクロイックプリズム５００と、投写レンズ６００とを備えている。
【００３１】
次に、上記構成のプロジェクタの作用を説明する。まず、発光管１０の中心より楕円面リフレクタ２０側へ射出される射出光は、楕円面リフレクタ２０により反射されて照明装置１００の前方（被照明領域側）に向かう。また、発光管１０の中心より反楕円面リフレクタ側へ射出される射出光は、補助ミラー３０により反射されて楕円面リフレクタ２０に戻った後、楕円面リフレクタ２０により反射されて照明装置１００の前方（被照明領域側）に向かう。
【００３２】
照明装置１００を出た光は平行化レンズ４０に入り、そこで光の進行方向が照明光学系１００の光軸とほぼ平行に調整された後、インテグレータレンズを構成する第１レンズアレイ１２０の各小レンズに入射する。第１レンズアレイ１２０は、入射光を小レンズの数に応じた複数の部分光束に分割する。第１レンズアレイ１２０を出た各部分光束は、その各小レンズにそれぞれ対応した小レンズを有してなるインテグレータレンズを構成する第２レンズアレイ１３０に入射する。そして、第２レンズアレイ１３０からの射出光は、偏光変換素子アレイ１４０の対応する偏光分離膜（図示省略）の近傍に集光される。その際、遮光板（図示省略）により、偏光変換素子アレイ１４０への入射光のうち、偏光分離膜に対応する部分にのみ光が入射するように調整される。
【００３３】
偏光変換素子アレイ１４０では、そこに入射した光束が同じ種類の直線偏光に変換される。そして、偏光変換素子アレイ１４０で偏光方向が揃えられた複数の部分光束は重畳レンズ１５０に入り、そこで液晶パネル４００Ｒ，４００Ｇ，４００Ｂを照射する各部分光束が、対応する液晶パネル面上で重なり合うように調整される。
【００３４】
色光分離光学系２００は、第１及び第２ダイクロイックミラー２１０，２２０を備え、照明光学系から射出される光を、赤、緑、青の３色の色光に分離する機能を有している。第１ダイクロイックミラー２１０は、重畳レンズ１５０から射出される光のうち青色光成分を反射するとともに、赤色光成分と緑色光成分とを透過させる。第１ダイクロイックミラー２１０で反射された青色光は、さらに反射ミラー２３０で反射され、フィールドレンズ２６０Ｂを通って青色光用の液晶パネル４００Ｂに達する。このフィールドレンズ２６０Ｂは、重畳レンズ１５０から射出された各部分光束をその中心軸（主光線）に対して平行な光束に変換する。他の液晶パネル４００Ｇ，４００Ｒの前に設けられたフィールドレンズ２６０Ｇ，３５０も同様に作用する。
【００３５】
さらに、第１ダイクロイックミラー２１０を透過した緑色光と赤色光のうち、緑色光は第２ダイクロイックミラー２２０によって反射され、フィールドレンズ２６０Ｇを通って緑色光用の液晶パネル４００Ｇに達する。一方、赤色光は、第２ダイクロイックミラー２２０を透過し、リレー光学系３００、すなわち、入射側レンズ３１０、反射ミラー３２０、リレーレンズ３３０、及び反射ミラー３４０を通り、さらにフィールドレンズ３５０を通って赤色光用の液晶パネル４００Ｒに達する。なお、赤色光にリレー光学系３００が用いられているのは、赤色光の光路長が他の色光の光路長よりも長いため、光の発散等による光の利用効率の低下を防止するためである。すなわち、入射側レンズ３１０に入射した部分光束をそのまま、フィールドレンズ３５０に伝えるためである。なお、リレー光学系３００は、３つの色光のうちの赤色光を通す構成としたが、青色光等の他の色光を通す構成としてもよい。
【００３６】
３つの液晶パネル４００Ｒ，４００Ｇ，４００Ｂは、入射した各色光を、与えられた画像情報に従って変調し、各色光の画像を形成する。なお、３つの液晶パネル４００Ｒ，４００Ｇ，４００Ｂの光入射面側、光射出面側には、通常、偏光板（図示せず）が設けられている。
【００３７】
上記の各液晶パネル４００Ｒ，４００Ｇ，４００Ｂから射出された３色の変調光は、これらの変調光を合成してカラー画像を形成する色光合成光学系としての機能を有するクロスダイクロイックプリズム５００に入る。クロスダイクロイックプリズム５００には、赤色光を反射する誘電体多層膜と、青色光を反射する誘電体多層膜とが、４つの直角プリズムの界面に略Ｘ字状に形成されている。これらの誘電体多層膜によって赤、緑、青の３色の変調光が合成されて、カラー画像を投写するための合成光が形成される。そして、クロスダイクロイックプリズム５００で合成された合成光は、最後に投写レンズ６００に入り、そこからスクリーン上にカラー画像として投写表示される。
【００３８】
実施形態１に係るプロジェクタによれば、そこに用いられている発光管１０、楕円面リフレクタ２０及び補助ミラー３０からなる照明装置１１０のすでに説明した作用に起因して、プロジェクタの高輝度化を達成することができる。
【００３９】
なお、本実施形態では、透過型の液晶パネルを用いたプロジェクタを例に説明したが、本発明は、反射型の液晶パネルを用いたプロジェクタにも適用することが可能である。ここで、「透過型」とは、液晶パネル等の光変調装置が光を透過するタイプであることを意味しており、「反射型」とは、それが光を反射するタイプであることを意味している。また、光変調装置は液晶パネルに限られるものではなく、例えば、マイクロミラーを用いた装置であってもよい。さらに、本発明の照明光学系は、投写像を観察する方向から投写を行う前面投写型プロジェクタにも、また、投写像を観察する方向とは反対側から投写を行う背面投写型プロジェクタにも適用可能である。
【００４０】
図５は、実施形態１に係る他の照明装置の構成図である。この照明装置１１０Ｂは、図５に示されるように、管球の全面に減反射膜１４が形成されている。このため、発光輝点ＰＡから放射された光が補助ミラー３０で反射されて発光輝点の像ＰＢの位置に達するまでに通常、固体と気体との界面を４回通過することになるが、このうち、少なくとも２回については反射損が抑制されるため、また、発光管１０から直接楕円面リフレクタ２０に向かう光の反射損が抑制されるため、高輝度の照明光を射出することのできる照明装置となる。
【００４１】
実施形態１に係る他の照明装置１１０Ｂにおいては、減反射膜１４としてＴａ２Ｏ５とＳｉＯ２との多層膜を用いている。このため、減反射膜１４の耐熱性を高めることができ、極めて高温にさらされる発光管の表面においても長期間にわたって良好な減反射特性を維持することができる。
【００４２】
［実施形態２］
図６は、実施形態２に係る照明装置の構成図である。実施形態２に係る照明装置１１０Ｃは、図６に示されるように、管球の内部に配設された陰極１２Ａと陽極１２Ｂとの間で直流点灯型の発光が行われる発光部を有し、管球の外面の一部に発光部からの光を管球内部に向けて反射する反射膜３０Ｃが形成されてなる発光管１０Ｃと、この発光管１０Ｃからの射出光を反射する楕円面リフレクタ２０とを備えている。すなわち、実施形態２に係る照明装置１１０Ｃは、実施形態１に係る照明装置１１０における補助ミラー３０の役割を、管球外面に形成された反射膜３０Ｃに負わせている。
このため、実施形態２に係る照明装置１１０Ｃによれば、発光管の管球外面に形成された反射膜３０Ｃが実施形態１に係る照明装置１１０における補助ミラー３０と同様の機能を発揮するため、実施形態１において説明した効果と同様の効果が得られる。また、補助ミラー３０が不要になり、部品点数が少なくなり信頼性が高まるという効果も得られる。
【００４３】
［実施形態３］
図７は、実施形態３に係る照明装置の構成図である。実施形態３に係る照明装置１１０Ｄは、図７に示されるように、管球の内部に配設された陰極１２Ａと陽極１２Ｂとの間で直流点灯型の発光が行われる発光部を有し、管球の内面の一部に発光部からの光を管球内部に向けて反射する反射膜３０Ｄが形成されてなる発光管１０Ｄと、この発光管１０Ｄからの射出光を反射する楕円面リフレクタ２０とを備えている。すなわち、実施形態２に係る照明装置１１０Ｄは、実施形態１に係る照明装置１１０における補助ミラー３０の役割を、管球内面に形成された反射膜３０Ｄに負わせている。
このため、実施形態３に係る照明装置１１０Ｄによれば、発光管の管球内面に形成された反射膜３０Ｄが実施形態１に係る照明装置１１０における補助ミラー３０と同様の機能を発揮するため、実施形態１において説明した効果と同様の効果が得られる。また、補助ミラー３０が不要になり、部品点数が少なくなり信頼性が高まるという効果も得られる。
【００４４】
［実施形態４］
図８は、実施形態４に係る照明装置の構成図である。図９は、実施形態４に係る照明装置を備えた照明光学系の構成図である。実施形態４に係る照明装置１１０Ｅは、図８及び図９に示されるように、２つの電極（陰極１２Ａ，陽極１２Ｂ）間で発光が行われる発光部を有する発光管１０と、この発光管１０からの射出光を反射する放物面リフレクタ２０Ｅと、発光管１０の発光部よりも反放物面リフレクタ側に配置された補助ミラー３０と、を備えている。そして、この発光管１０は直流点灯型の発光管である。すなわち、実施形態４に係る照明装置１１０Ｅは、実施形態１に係る照明装置１１０の楕円面リフレクタを放物面リフレクタに代えたものである。
【００４５】
このように、実施形態４に係る照明装置１１０Ｅは、実施形態１に係る照明装置１１０の楕円面リフレクタを放物面リフレクタに代えたものであるが、実施形態１に係る照明装置１１０の場合と同様に、発光管１０が直流点灯型の発光管であるため、補助ミラー３０の付設によって光の利用効率を高めることが容易になる。また、プラズマ吸収が起こらないことに起因して発光輝点における温度が高くなりすぎることもなくなる。
【００４６】
また、実施形態４に係る照明装置１１０Ｅによれば、発光管１０が直流点灯型の発光管であるため、交流点灯型の発光管でしばしば問題となることがある発光輝点の移動による光のちらつきを抑制することができるほか、点灯回路を小型化を図ることができるという効果もある。
さらにまた、実施形態４に係る照明装置１１０Ｅによれば、発光管１０が直流点灯型の発光管であるため、元来は陰極１２Ａの近傍で輝度が高く陽極１２Ｂの近傍で輝度が低い、そのような対称性の低い輝度分布を有しているが、補助ミラー３０の働きによってこの輝度分布を全体としてより対称性のよいものにすることができ、輝度むらの少ない照明装置となる。
【図面の簡単な説明】
【図１】実施形態１に係る照明装置を備えた照明光学系の構成図。
【図２】実施形態１に係る照明装置の構成図。
【図３】実施形態１に係る照明装置に用いられる発光管の作用説明図。
【図４】実施形態１に係る照明装置を備えたプロジェクタの構成図。
【図５】実施形態１に係る他の照明装置の構成図。
【図６】実施形態２に係る照明装置の構成図。
【図７】実施形態３に係る照明装置の構成図。
【図８】実施形態４に係る照明装置の構成図。
【図９】実施形態４に係る照明装置を備えた照明光学系の構成図。
【図１０】従来の照明装置の構成図。
【符号の説明】
１…プロジェクタ、１０，１０Ｂ，１０Ｃ，１０Ｄ，１０Ｅ…発光管、１２Ａ，１２Ｂ…電極、１４…減反射膜、２０…楕円面リフレクタ、２０Ｅ…放物面リフレクタ、３０…補助ミラー、３０Ｃ，３０Ｄ…反射膜、４０…平行化レンズ、１００，１００Ｅ…照明光学系、１１０，１１０Ｂ，１１０Ｃ，１１０Ｄ，１１０Ｅ…照明装置、１２０，１３０…レンズアレイ、１４０…偏光変換素子、１５０…重畳レンズ、１６０…インテグレータ光学系、２００…色分離光学系、２１０，２２０…ダイクロイックミラー、２３０…反射ミラー、３００…リレー光学系、３１０…入射側レンズ、３２０，３４０…反射ミラー、３３０…リレーレンズ、３５０，２６０Ｇ，２６０Ｂ…フィールドレンズ、４００，４００Ｒ，４００Ｇ，４００Ｂ…液晶パネル、５００…クロスダイクロイックプリズム、６００投写レンズ、９０１…照明装置、９０２，９１１…発光管、９０３…リフレクタ、９０４…補助ミラー、９１２…管球、９１３，９１４…封止部、９１５，９１６…電極芯棒、９１７，９１８…電極、９２１…取付け孔、９２２…射出開口、９２３…楕円反射面、ＰＡ，ＰＢ，Ｐ，ＬＡ、ＬＢ…発光輝点、Ｌ１，Ｌ２…光線、Ｈ１，Ｈ２…法線
【図１】
2005038685.tif 000003
【図２】
2005038685.tif 000004
【図３】
2005038685.tif 000005
【図４】
2005038685.tif 000006
【図５】
2005038685.tif 000007
【図６】
2005038685.tif 000008
【図７】
2005038685.tif 000009
【図８】
2005038685.tif 000010
【図９】
2005038685.tif 000011
【図１０】
2005038685.tif 000012